【事件の表示】
　平成１１年特許願第１０１２４９号「メッセージ配信システム」拒絶査定不服審判事件〔平成１２年１０月２０日出願公開、特開２０００−２９５３７５〕について、次のとおり審決する。
【結　論】
　本件審判の請求は、成り立たない。
【理　由】
１．手続の経緯
　本願は、平成１１年４月８日の出願であって、平成１７年７月２１日付けで拒絶査定がなされ、これに対し、平成１７年９月８日に拒絶査定に対する審判請求がなされ、当審において平成１９年１０月２２日付けで拒絶理由通知がなされ、平成１９年１２月２５日付けで手続補正がなされたものである。
　
２．本願発明
　本願の請求項１に係る発明（以下、「本願発明」という。）は、以下のとおりのものである。
「移動端末と、登録された配信情報を前記移動端末に送信するメッセージ配信装置とを備えるメッセージ配信システムであって、
　前記移動端末は、
　前記メッセージ配信装置が前記移動端末に前記配信情報を送信する条件である配信条件を、当該移動端末ごとにユーザによる操作に従って送信する配信条件送信手段を備え、
　前記メッセージ配信装置は、
　前記移動端末の位置情報を取得する移動端末位置情報取得手段と、
　前記移動端末の位置情報と前記配信情報と前記送信された配信条件とを登録するデータベースと、
　前記配信条件を満たす場合には、当該配信条件に合致する移動端末に前記配信情報を配信する配信情報配信手段と、を備えること、
　を特徴とするメッセージ配信システム。」
　
３．引用例に記載された発明
　当審で通知した拒絶理由に引用された特開平１１−６５４３４号公報（以下、「引用例」という。）には、図面とともに以下の記載がある。
　
（イ）「【００３８】
【発明の実施の形態】以下に、本発明の第一実施形態について、図面を参照して説明する。
【００３９】図１は本発明の第一実施形態の情報提供システムを説明するための概略構成図である。
【００４０】本実施形態の情報提供システムは、図１に示すように、移動体端末１と、移動体通信回線３を介して移動体端末１に接続されたサーバ２と、を備えて構成されている。
【００４１】尚、サーバ２には、インターネット等のネットワーク６を介して、広告主の端末７１〜７Ｎや、移動体端末１のユーザが仕事場等で使用する据え置型情報端末７ａ、あるいは外部サーバ７ｂ等が接続されているものとする。
【００４２】移動体端末１は、ユーザの指示に従い、気象情報や交通情報、あるいは通信カラオケといった各種サービス（これ等をサービス情報とも称する）の要求情報を、移動体通信回線３を介してサーバ２に送信する。
【００４３】また、ナビゲーション装置４やビーコン９から位置情報を取得し、当該位置情報を含む個人情報を、移動体通信回線３を介してサーバ２に送信する。
【００４４】一方、サーバ２は、移動体端末１から送られてきたサービスの要求情報に応じたサービス情報を、移動体通信回線３を介して、移動体端末１に送信する。
【００４５】また、移動体端末１から送られてきた個人情報に応じた広告情報（広告主が提供するサービスの宣伝情報）を検索する。そして、当該検索した広告情報を、移動体通信回線３を介して移動体端末１に送信する。
【００４６】これを受けて、移動体端末１は、サーバ２から送信されたサービス情報や広告情報をユーザに提供する。
【００４７】尚、移動体端末１は、携帯して使用することができる情報端末である。ユーザは、持ち歩いて使用したり、自動車５に取り付けて使用することができる。図１では、自動車５に取り付けた例を示している。また、図１では、移動体端末１を１つだけ表示しているが、実際には複数の移動体端末１が移動体通信回線３を介してサーバ２と接続される。
【００４８】本実施形態の情報提供システムでは、サーバ２が、移動体端末１から送信された位置情報を含む個人情報を基に、広告情報を検索している。
【００４９】したがって、例えば、現在地付近や、現在地と目的地とを結ぶ経路沿いにある、ユーザが直ぐに利用できるような広告情報のみを選択して、当該移動体端末１に提供することができる。これにより、ユーザにとって利用価値の高い広告情報のみを提供することができるので、ユーザの広告情報に対する注目度が向上する。このため、高い宣伝効果を挙げることができるので、広告主の増加が見込まれる。」
　
（ロ）「【００５４】以下、本実施形態の情報提供システムについて、図面を参照して詳細に説明する。
【００５５】先ず、移動体端末１について説明する。
【００５６】図２は図１に示す移動体端末１の概略ブロック図である。
【００５７】図２において、入力装置１０１は、ユーザの指示を受け付ける。入力装置１０１は、リモコン１０１ａやタッチパネル１０１ｂ等の入力機器、あるいはマイクロフォン１０１ｃ等の音声信号入力機器で構成される。
【００５８】入力制御部１０３は、入力装置１０１に入力されたユーザの指示に従い、移動体端末１が所定の動作をするように制御する。
【００５９】要求認識部１３２は、入力装置１０１に、ユーザのサーバ２に対する何らかの要求が入力された場合、当該要求の内容を判別して、後述する個人情報作成部１２８や、送信データ作成部１３０に知らせる。
【００６０】個人情報取得部１０５は、サーバ２で広告情報を検索するための様々な情報を取得するものであり、現在地情報取得部１０７と、ナビゲーション情報取得部１０９と、車内情報取得部１１１と、運転者情報取得部１１３と、端末情報取得部１１５と、を有する。」
　
（ハ）「【００７４】上記説明した個人情報取得部１０５の取得部１０７〜１１５各々での情報取得のタイミングは、当該取得部で取得される情報の時間的変化の度合いを考慮して、定期的に、あるいはユーザが入力装置１０１に入力した指示に従い、取得部１０７〜１１５各々が独自のタイミングで行えばよい。」
　
（ニ）「【００８２】個人情報作成部１２８は、個人情報取得部１０５で取得した各情報、ユーザ情報記憶部１２２に記憶された静的ユーザ情報、および端末情報記憶部１２４に記憶された静的端末情報を基に、サーバ２に送信すべき個人情報を作成する。
【００８３】個人情報を作成するタイミングは、イベント検出部１２６でイベントが検出されたときでもよいし、入力装置１２４にユーザの指示が入力されたときでもよい。また、定期的に作成するようにしてもよい。
【００８４】個人情報は、少なくとも現在地情報を含むものであればよく、必要に応じて、ナビゲーション情報や静ユーザ情報、あるいは端末情報等を含めるようにすればよい。
【００８５】ここでは、個人情報を以下の要領で作成している。
【００８６】原則として、現在地情報取得部１０７で取得した現在地情報を含むように個人情報を作成する。
【００８７】入力装置１０１に、ナビゲーション情報を選択する旨の指示が入力されている場合は、現在地情報に加えて、ナビゲーション情報取得部１０９で取得した経路等のナビゲーション情報（以下、現在地情報やナビゲーション情報を位置情報とも称する）を含めるように、個人情報を作成する。
【００８８】イベント検出部１２６でイベントが検出されている場合は、当該イベントの内容を示す情報（以下、イベント情報とも称する）をも含めて、個人情報を作成する。
【００８９】入力装置１０１に、広告主が提供するサービス（デパート、レストラン、ドライブイン等）についての情報（以下、種類情報とも称する）の指定が入力されている場合は、当該種類情報をも含めるように、個人情報を作成する。
【００９０】送信データ作成部１３０は、個人情報作成部１２８で作成された個人情報をサーバ２に送信するための送信データを作成する。」
　
（ホ）「【０１０４】次に、サーバ２について説明する。
【０１０５】図４は図１に示すサーバ２の概略ブロック図である。
【０１０６】図４において、通信部２０１は、移動体端末１と双方向の通信を行う。また、ネットワーク６に接続された広告主７１〜７ｎやユーザの据え置き型情報端末７ａ、外部サーバ７ｂ等と双方向の通信を行う。
【０１０７】受信データ解析部２０３は、通信部２０１で受信したデータを解析する。すなわち、通信部２０１で受信したデータが、移動体端末１から送られてきた個人情報であるか、またはサービス提供の要求情報であるか、もしくは、ネットワーク６を介しての情報であるかを判断する。
【０１０８】個人情報判別部２０５は、受信データ解析部２０３で解析された個人情報に含まれる各情報の内容を判別する。具体的には、以下の点について行う。
【０１０９】個人情報に含まれる現在地情報を判別する。また、位置情報として、現在地情報の他に経路に関する情報が含まれているか否かも判別する。
【０１１０】個人情報にイベント情報が含まれているか否かを判別する。そして、イベント情報が含まれている場合は、当該情報によって特定されるイベントが、自動車５の故障に関するものであるか、自動車５の燃料補給の必要性に関するものであるか、あるいは、運転者の休息の必要性に関するものであるかを判断する。
【０１１１】個人情報に、広告主が提供するサービスの種類情報が含まれているか否かを判別する。含まれている場合は、その内容について判断する。
【０１１２】個人情報に静的ユーザ情報や、端末情報、あるいは静的端末情報が含まれているか否かを判別する。含まれている場合は、その内容について判断する。
【０１１３】地図記憶部２０７には、地図情報が記憶されている。
【０１１４】通過地点設定部２０９は、個人情報判別部２０５で個人情報に経路に関する情報が含まれていることが判別された場合、当該経路と地図記憶部２０７に記憶された地図情報とを基に、自動車５の通過地点を少なくとも１つ設定する。
【０１１５】通過時刻推定部２１１は、通過時点設定部２０９で設定した通過地点の通過予想時刻を推定する。これは、通過地点が設定された経路の渋滞情報や、当該経路上を移動する自動車の平均速度等を基に、現在地から、前記設定した通過地点までの移動時間を推定することで可能である。
【０１１６】尚、当該経路の渋滞情報や、当該経路を移動する自動車の平均速度に関する情報をサーバ２が有していない場合は、ネットワーク６を介して外部サーバ７ｂ等にアクセスすることで、入手可能である。
【０１１７】広告情報記憶部２１３は、複数の広告主から提供された広告情報がファイル形式で記憶されている。尚、広告情報記憶部２１３には、後述するサービス情報記憶部２１８に記憶されたサービス情報の提供者（スポンサ）の広告情報も記憶されている。
【０１１８】広告リンク情報記憶部２１５には、広告情報記憶部２１３に記憶された複数の広告情報各々につき、当該広告情報の種類、広告主の所在地等を示す情報（以下、特性情報とも称する）が記憶されている。」
　
（へ）「【０１５４】次に、本実施形態である情報提供システムの動作について説明する。
【０１５５】先ず、移動体端末１が広告情報を取得するまでの動作について説明する。
【０１５６】図６は、本実施形態の情報提供システムにおいて、移動体端末１が広告情報を取得するまでの基本的な流れを説明するためのフロー図である。
【０１５７】ここで、ステップ１００１〜ステップ１００８は、移動体端末１側で実行される処理であり、ステップ２００１〜２００７は、サーバ２側で実行される処理である。
【０１５８】先ず、移動体端末１は、ステップ１００１〜ステップ１００５において、個人情報の送信処理を行う。
【０１５９】個人情報作成部１２８は、個人情報を作成するタイミングを検出する（ステップ１００１）。
【０１６０】個人情報の作成タイミングは、上述したように、イベント検出部１２６でイベントが検出されたときでもよいし、入力装置１２４にユーザのその旨の指示が入力されたときでもよい。また、定期的に作成するようにしてもよい。
【０１６１】個人情報の作成タイミングが検知されると、個人情報作成部１２８は、個人情報取得部１０５や、ユーザ情報記憶部１２２、あるいは端末情報記憶部１２４から、少なくとも位置情報を含む必要な諸情報を取り出して、これ等の情報を基に個人情報を作成する（ステップ１００２）。
【０１６２】次に、通信部１３４は、移動体通信回線３を介して、サーバ２との接続状態を確認し、接続していない場合はサーバ２と接続する（ステップ１００３）。
【０１６３】次に、送信データ作成部１３０は、ステップ１００２で作成した個人情報を基に、サーバ２への送信データを作成する（ステップ１００４）。
【０１６４】その後、通信部１３４は、ステップ１００４で作成した送信データをサーバ２に送信する（ステップ１００５）。
【０１６５】これを受けて、サーバ２は、ステップ２００１〜２００７において、広告情報の選択・送信処理を行う。
【０１６６】先ず、通信部２０１は、移動体端末１から送られてきた送信データを受信する（ステップ２００１）。
【０１６７】次に、受信データ解析部２０３は、ステップ２００１で受信したデータを解析して、当該データが個人情報のデータであることを解析する（ステップ２００２）。
【０１６８】次に、個人情報判別部２０５は、ステップ２００２で解析した個人情報に含まれる諸情報を判別する（ステップ２００３）。
【０１６９】尚、個人情報に、位置情報として、経路に関する情報が含まれている場合、当該経路情報を通過地点推定部２０９に渡す。これを受けて、通過地点推定部２０９は、地図記憶部２０７に記憶された地図情報を参照して、当該経路上に通過地点を少なくとも１つ設定する。また、通過時刻推定部２１１が、前記設定した通過地点の通過時刻を予測する。
【０１７０】次に、広告情報選択部２０６は、広告リンク情報記憶部２１５に記憶された特性情報の中から、ステップ２００３で判別された個人情報の諸情報によって特定される条件を満足する特性情報を検索し、当該個人情報に対応する広告情報を、広告情報記憶部２１３から選択する（ステップ２００４）。
【０１７１】尚、特性情報の検索は、上述したように、少なくとも個人情報に含まれる位置情報を参照して行われる。また、通過地点推定部２０９で通過地点が設定されている場合は、当該通過地点の位置情報を参照して、特性情報の検索を行う。
【０１７２】次に、通信部２０１は、サーバ２が移動体通信回線３を介して移動体端末１と接続された状態にあることを確認する（ステップ２００５）。
【０１７３】次に、送信データ作成部２２０は、ステップ２００４で選択した広告情報と、広告リンク情報記憶部２１５に記憶された特性情報とを基に、移動体端末１への送信データを作成する（ステップ２００６）。
【０１７４】尚、通過時刻推定部２０９で、通過時刻が予測されている場合は、広告情報送信タイミング判定部２１７の指示に従い、当該通過時刻あたりで送信データが作成されるように、作成タイミングを調整する。
【０１７５】次に、通信部２０１は、ステップ２００５で作成した送信データを移動体端末１に送信する（ステップ２００７）。
【０１７６】これを受けて、移動体端末１は、ステップ１００６〜ステップ１００８において、広告情報の受信処理を行う。
【０１７７】先ず、通信部１３４は、サーバ２から送られてきた送信データを受信する（ステップ１００６）。
【０１７８】次に、受信データ解析部１３６は、ステップ１００６で受信したデータを解析して、当該データが広告情報のデータであることを解析する（ステップ１００７）。
【０１７９】そして、解析した広告情報を広告情報記憶部１４２に格納する（ステップ１００８）。」　　
　
　引用例の（イ）、（ハ）、（ニ）、（ヘ）の記載からすると、移動体端末は、位置情報を含んだ個人情報を作成してサーバに送信するものであり、作成するタイミングは、定期的、あるいは、ユーザが入力装置に入力した指示に従うものであると理解できる。
　したがって、引用例の移動体端末は、ユーザが入力装置に入力した指示に従うタイミングで個人情報を作成し、当該個人情報をサーバに送信する手段を備えるものであるといえる。
　また、引用例の（イ）、（ヘ）の記載からすると、サーバは、移動体端末から送信された位置情報を含む個人情報を基に広告情報を検索しているものであるから、サーバが移動体端末の位置情報を取得する手段を有していることは自明である。
　　
　したがって、引用例には、
「移動体端末と、記憶された広告情報を前記移動体端末に送信するサーバとを備える情報提供システムであって、
　前記移動体端末は、　
　ユーザが入力装置に入力した指示に従うタイミングで個人情報を作成し、当該個人情報をサーバに送信する手段を備え、
　前記サーバは、
　前記移動体端末の位置情報を取得する手段と、
　前記広告情報を記憶する広告情報記憶部と、
　前記個人情報に基づいて前記広告情報を選択する広告情報選択部と、
　選択された広告情報を移動体端末に送信する通信部と、
を備える情報提供システム。」
との発明（以下、「引用例発明」という。）が開示されていると認めることができる。
　　
４．対比
　本願発明と引用例発明とを対比すると次のことが認められる。
　引用例発明の「移動体端末」は、本願発明の「移動端末」に相当する。
　引用例発明の「広告情報」及び「記憶された広告情報」は、本願発明の「配信情報」及び「登録された配信情報」に相当する。
　引用例発明の「広告情報」は、「メッセージ」であるということができるので、引用例発明の「サーバ」は本願発明の「メッセージ配信装置」に相当するといえる。
　また、引用例発明の「情報提供システム」は、本願発明の「メッセージ配信システム」に相当するといえる。
　引用例発明の「位置情報を取得する手段」は、本願発明の「位置情報を取得する移動端末位置情報取得手段」に相当する。
　引用例発明の「前記広告情報を記憶する広告情報記憶部」と、本願発明の「前記移動端末の位置情報と前記配信情報と前記送信された配信条件とを登録するデータベース」とは、
「前記配信情報を登録する記憶手段」である点で一致している。
　引用例発明の「選択された広告情報を移動体端末に送信する通信部」と、本願発明の「前記配信条件を満たす場合には、当該配信条件に合致する移動端末に前記配信情報を配信する配信情報配信手段」とは、「移動端末に前記配信情報を配信する配信情報配信手段」である点で一致している。
　
　以上の対比によれば、本願発明と引用例発明とは、
「移動端末と、登録された配信情報を前記移動端末に送信するメッセージ配信装置とを備えるメッセージ配信システムであって、
　前記メッセージ配信装置は、
　前記移動端末の位置情報を取得する移動端末位置情報取得手段と、
　前記配信情報を登録する記憶手段と、
　移動端末に前記配信情報を配信する配信情報配信手段と、
を備えるメッセージ配信システム。」
の点で一致し、以下の点で相違している。
　　
［相違点１］
　移動端末について、本願発明では「前記メッセージ配信装置が前記移動端末に前記配信情報を送信する条件である配信条件を、当該移動端末ごとにユーザによる操作に従って送信する配信条件送信手段」を備えるものであるのに対して、引用例発明では「ユーザが入力装置に入力した指示に従うタイミングで個人情報を作成し、当該個人情報をメッセージ配信装置に送信する手段」を備えるものである点。
［相違点２］
　メッセージ配信装置について、本願発明は「前記移動端末の位置情報と前記配信情報と前記送信された配信条件とを登録するデータベース」を備えるのに対して、引用例発明は「前記配信情報を登録する記憶部」を備えるものである点。
［相違点３］
　移動端末に配信情報を配信する配信情報配信手段について、本願発明は「前記配信条件を満たす場合には、当該配信条件に合致する移動端末に前記配信情報を配信する」ものであるのに対して、引用例発明は「前記個人情報に基づいて前記配信情報を選択する配信情報選択部と、選択された配信情報を移動端末に送信する」ものである点。
　
５．当審の判断
［相違点１及び３］について
　本願発明の「配信条件」と、引用例発明の「個人情報」とを対比すると、本願発明の「配信条件」は「メッセージ配信装置が移動端末に配信情報を送信する条件」であり、引用例発明の「個人情報」は、それに基づいてメッセージ配信装置が配信情報を選択して、移動端末に選択された配信情報を送信するためのものであるということができる。
　したがって、本願発明の「配信条件」と引用例発明の「個人情報」とは、移動端末ごとに作成され、配信情報の中で所定の条件に適合する配信情報のみを移動端末に送信するために用いられるものである点で共通したものであるということができる。
　配信情報の中で所定の条件に適合した配信情報を決定するために、移動端末ごとの個人情報に基づいて配信情報を選択して配信することに代えて、移動端末が配信条件に合致するときに配信情報を配信するようにすることに格別の困難性は認められない。
　また、引用例発明の移動端末は、ユーザが入力装置に入力した指示に従うタイミングで個人情報を作成し、当該個人情報を送信するものであるが、個人情報は移動端末ごとに作成されて送信されるものであるから、引用例発明は、個人情報を移動端末ごとにユーザによる指示に従って送信するものであるということができる。
　したがって、相違点１及び３に係る構成を採用することは当業者が容易に想到し得たものと認められる。　
　
［相違点２］について
　［相違点１及び３］について検討したように、所定の条件に適合した配信情報を決定するために、個人情報に代えて配信情報を用いることに格別の困難性は認められない。
　引用例の（イ）、（へ）の記載を参照すると、引用例においては（本願発明の実施形態と同様に）、移動端末の位置情報は配信情報を決定するために用いられており、配信情報を記憶手段に登録する際に、移動端末の位置情報と配信条件とを併せて登録してデータベースとすることは当業者が容易に想到し得たものと認められる。
　　
　そして、本願発明の作用効果も、引用例発明から当業者が予測できる範囲のものである。
　　　
６．むすび
　以上のとおり、本願発明は、引用例発明に基づいて、当業者が容易に発明をすることができたものであるから、特許法第２９条第２項の規定により特許を受けることができない。
　よって、結論のとおり審決する。